(57)【要約】【課題】従来、レンズ装置の各種設定手段の内容を表示する表示装置は、右手側のレンズ駆動装置上に配されていたため、その表示装置の表示内容を撮影者が左目で視認することが困難であった。【解決手段】上記表示装置をフード上に配することで、撮影者の視認性を高め、より撮影の自由度を増やす。【選択図】図１
2006119174.tif 000002
【特許請求の範囲】
【請求項１】
撮影者が倍率や焦点を可変させるために、移動レンズ群を光軸方向に移動可能にするための駆動装置と、該駆動内容を撮影者の好みに設定するための設定手段と、該設定手段の設定内容を表示するための表示手段を有するレンズ装置において、
前記表示手段がフード上に配されていることを特徴とするレンズ装置。
【請求項２】
前記表示手段が配されているフードと前記レンズ装置が電気的な接点を有し、互いが電気的に連結されることを特徴とする請求項1記載のレンズ装置。
【請求項３】
撮影者が倍率や焦点を可変させるために、移動レンズ群を光軸方向に移動可能にするための駆動装置と、該駆動内容を撮影者の好みに設定するための設定手段と、該設定手段の設定内容を表示するための表示手段を有するレンズ装置において、
前記表示手段が取付け自在であることを特徴とするレンズ装置。
【発明の詳細な説明】
【技術分野】
【０００１】
本発明は、ハンディタイプのＴＶレンズの操作性に関する。
【背景技術】
【０００２】
従来、図３若しくは特許文献１の図１に示すように、ハンディタイプのＴＶレンズ１４のレンズ駆動装置１５上には、フォーカス、ズーム、アイリス用の指令スイッチや、プリセットスイッチ、ＶＴＲスイッチ等、レンズの操作性に関する各種スイッチ７と、それらのスイッチの状態を撮影者が確認するためのＬＥＤ等の表示装置１６が配されている。そして、前記スイッチ７、表示装置１６は各々駆動用制御回路１７と電気的に連結されている。撮影者が撮影条件によって設定した前記スイッチ７の内容は、制御回路１７を介して表示装置１６に伝えられ、表示装置１６はその内容を任意の方法で表示している。
【０００３】
【特許文献１】特開平１１−０１４８９０号公報
【発明の開示】
【発明が解決しようとする課題】
【０００４】
しかしながら、例えば撮影途中に撮影者が今現在の撮影条件を目視にて確認しようとした場合、左目を使わざるを得ないのであるが（右目はビューファーを覗くために目を離すことができない）、レンズ駆動装置は通常右手側に配されているため、左目で右手側のスイッチの状況を確認しなくてはならない。しかも、撮影中は基本的にビューファーから目を離すことができないため、従来の方法では視認性が非常に悪いという問題があった。
そこで、本発明の目的とする処は、撮影者が特別な操作を行うことなく各種スイッチの設定状況を撮影状態のまま容易に確認できる、視認性に優れたレンズ装置を提供することにある。
【課題を解決するための手段】
【０００５】
上記問題を解決するために本発明は、
（１）撮影者が倍率や焦点を可変させるために、移動レンズ群を光軸方向に移動可能にするための駆動装置と、該駆動内容を撮影者の好みに設定するための設定手段と、該設定手段の設定内容を表示するための表示手段を有するレンズ装置において、前記表示手段がフード上に配されていることを特徴としている。
（２）前記表示手段が配されているフードと前記レンズ装置が電気的な接点を有し、互いが電気的に連結されることを特徴としている。
（３）撮影者が倍率や焦点を可変させるために、移動レンズ群を光軸方向に移動可能にするための駆動装置と、該駆動内容を撮影者の好みに設定するための設定手段と、該設定手段の設定内容を表示するための表示手段を有するレンズ装置において、前記表示手段が取付け自在であることを特徴としている。
【発明の効果】
【０００６】
本発明によれば、撮影中であっても撮影者は容易に随時撮影条件を確認することができ、より完成度の高い撮影を行うことが可能となる。
【発明を実施するための最良の形態】
【０００７】
＜実施の形態１＞
図１に本発明の実施の形態１を示す。
レンズ本体１に取り付いて使用されるフード２上の任意の位置には表示装置３が設けられている。又、レンズ本体１、フード２は各々電気的な接点１ａ、２ａを有しており、フード２をレンズ本体１に取り付けると、自動的にレンズ本体とフードの間で電気的な連結が確保されるようになっている。そして、表示装置３とフード側接点２ａ、レンズ駆動装置４内の制御回路５とレンズ本体側接点１ａの間も本体内部を通じて各々電気的に連結が確保されており、制御回路５とカメラ６の間も任意の方法で電気的に連結が確保されている。従って、フード２をレンズ本体１に取り付けることにより、カメラ６と表示装置３との間で電気的な連結が達成されることとなる。
又、レンズ駆動装置４上に任意に設けられているフォーカス、ズーム、アイリス用の指令スイッチや、プリセットスイッチ、ＶＴＲスイッチ等、レンズの操作性に関する各種スイッチ７は制御回路５と電気的に連結が確保されている。
撮影者は、撮影状況に応じて各種スイッチ７を設定し、その設定情報は制御回路５を介して表示装置３に送られ、表示装置３はその内容を任意の方法で表示する。具体的には、ＬＥＤ等の発光物の色や数、パネルによる表示など様々な表示方法を適用することができる。
表示装置３はフード２上で撮影者が視認し易い場所に任意に配されるが、撮影者が左目で容易に視認できる位置が望ましい。又、この時各種スイッチ７は、接点２ａと電気的に接続されていれば、レンズ駆動装置４上に限らず、表示装置３と同様にフード２上の任意の位置に配することも可能である。そうすることによって、操作性を向上することが可能となる。
以上より、撮影者が特別な操作を行うことなく各種スイッチの設定状況を撮影状態のまま容易に確認できることにより撮影者の負荷が軽減され、撮影の自由度を広げることが可能となる。
＜実施の形態２＞
図２に本発明の実施の形態２を示す。
レンズ本体８に取り付いて使用されるフード９上の任意の位置には、表示装置１０が任意の方法で設けられている。表示装置１０は、レンズ駆動装置１１内の制御回路１２と電気接点工具（本実施の形態ではコネクタとした）１３とケーブル等で電気的に連結されている。又、第１の実施の形態同様、レンズ駆動装置１１上にはフォーカス、ズーム、アイリス用の指令スイッチやプリセットスイッチ、ＶＴＲスイッチ等、レンズの操作性に関する各種スイッチ７が任意に設けられており、制御回路１２と電気的に連結が確保されている。
撮影者は撮影状況に応じて各種スイッチ７を設定し、その設定情報は制御回路１２を介して表示装置１０に送られ、表示装置１０はその内容を任意の方法で表示する。具体的には、ＬＥＤ等の発光物の色や数、パネルによる表示など様々な表示方法を適用することができる。表示装置１０はフード９上で撮影者が視認し易い場所に任意に配されるが、撮影者が左目で容易に視認できる位置が望ましい。フード９への取付け方法としては、ビス止め、マジックテープ、接着剤、クリップ形式等、様々な方法が考えられるが、撮影者が運用し易い方法を選択すれば良い。又、表示装置１０は前記取付け方法次第ではフード上に設けなくても良く、例えばレンズ本体上や三脚等、左目での視認性に優れた位置に任意に設けることが可能である。
以上より、撮影者が特別な操作を行うことなく各種スイッチの設定状況を撮影状態のまま容易に確認できることにより撮影者の負荷が軽減され、撮影の自由度を広げることが可能となる。
【図面の簡単な説明】
【０００８】
【図１】本発明の実施の形態１を示す図である。
【図２】本発明の実施の形態２を示す図である。
【図３】従来の実施の形態を示す図である。
【符号の説明】
【０００９】
１      レンズ本体
１ａ    電気的接点
２      フード
２ａ    電気的接点
３      表示装置
４      レンズ駆動装置
５      制御回路
６      カメラ
７      各種設定スイッチ
８      レンズ本体
９      フード
１０    表示装置
１１    レンズ駆動装置
１２    制御回路
１３    コネクタ
１４    レンズ本体
１５    レンズ駆動装置
１６    表示装置
１７    制御回路
【図１】
2006119174.tif 000003
【図２】
2006119174.tif 000004
【図３】
2006119174.tif 000005